(57)【特許請求の範囲】
【請求項１】
自車両が走行する走行路を検出する走行路検出部と、
前記検出した走行路において前記自車両が通過する目標位置である目標通過位置を検出する目標通過位置検出部と、
前記検出した目標通過位置へ到達するまでに前記自車両が目標とする姿勢角である誘導姿勢角を算出する誘導姿勢角算出部と、
前記検出した目標通過位置へ到達するまでに前記自車両が目標とする横位置である誘導横位置を算出する誘導横位置算出部と、
前記自車両の現在の姿勢角を検出する現在姿勢角検出部と、
前記自車両の現在の横位置を検出する現在横位置検出部と、
前記自車両の現在のヨーレートを検出するヨーレート検出部と、
前記算出した誘導姿勢角、前記算出した誘導横位置、前記検出した姿勢角、前記検出した横位置及び前記検出したヨーレートに基づき、前記検出した走行路において前記自車両が走行すべき経路である誘導経路を生成する誘導経路生成部と、
前記生成した誘導経路を前記自車両が走行するために操舵輪の目標とする回転角度である目標操舵角を算出する目標操舵角算出部と、
前記操舵輪の現在の回転角度である現在操舵角を検出する現在操舵角検出部と、
前記算出した目標操舵角と前記検出した現在操舵角との差分である操舵角偏差を算出する操舵角偏差算出部と、
前記算出した操舵角偏差を縮小させるための操舵支援トルクを算出する操舵支援トルク算出部と、
前記算出した操舵支援トルクを前記操舵輪へ出力する操舵支援トルク出力部と、
前記自車両を中心とする予め設定した所定半径の範囲内で前記走行路上に存在する障害物を検出する障害物検出部と、を備え、
前記目標通過位置検出部は、前記検出した障害物に対し、前記障害物の側方で前記自車両が通過可能であり且つ幅が最小の部分である最狭部のうち、前記自車両の車幅方向の中心位置を、前記目標通過位置として検出し、
前記誘導経路生成部は、前記検出した目標通過位置を用いて算出した誘導距離を用いて複数箇所の誘導点を算出し、さらに、前記算出した複数箇所の誘導点の連続した集合により形成した線を、前記誘導経路として生成することを特徴とする車両の操舵支援装置。
【請求項２】
前記目標通過位置検出部は、予め設定した第一所定時間間隔で前記目標通過位置を検出し、
前記操舵支援トルク算出部は、予め設定した第二所定時間間隔で前記操舵支援トルクを算出することを特徴とする請求項１に記載した車両の操舵支援装置。
【請求項３】
自車両が走行する走行路において前記自車両が通過する目標位置である目標通過位置を検出する目標通過位置検出ステップと、
前記検出した目標通過位置へ到達するまでに前記自車両が目標とする姿勢角である誘導姿勢角を算出する誘導姿勢角算出ステップと、
前記検出した目標通過位置へ到達するまでに前記自車両が目標とする横位置である誘導横位置を算出する誘導横位置算出ステップと、
前記算出した誘導姿勢角、前記算出した誘導横位置、前記自車両の現在の姿勢角、前記自車両の現在の横位置、前記自車両の現在のヨーレートに基づき、前記走行路において前記自車両が走行すべき経路である誘導経路を生成する誘導経路生成ステップと、
前記生成した誘導経路を前記自車両が走行するために操舵輪の目標とする回転角度である目標操舵角を算出する目標操舵角算出ステップと、
前記算出した目標操舵角と前記操舵輪の現在の回転角度である現在操舵角との差分である操舵角偏差を算出する操舵角偏差算出ステップと、
前記算出した操舵角偏差を縮小させるための操舵支援トルクを算出する操舵支援トルク算出ステップと、
前記算出した操舵支援トルクを前記操舵輪へ出力する操舵支援トルク出力ステップと、
前記自車両を中心とする予め設定した所定半径の範囲内で前記走行路上に存在する障害物を検出する障害物検出ステップと、を有し、
前記目標通過位置検出ステップでは、前記障害物検出ステップで検出した障害物に対し、前記障害物の側方で前記自車両が通過可能であり且つ幅が最小の部分である最狭部のうち、前記自車両の車幅方向の中心位置を、前記目標通過位置として検出し、
前記誘導経路生成ステップでは、前記目標通過位置検出ステップで検出した目標通過位置を用いて複数箇所の誘導点を算出し、さらに、前記算出した複数箇所の誘導点の連続した集合により形成した線を、前記誘導経路として生成することを特徴とする車両の操舵支援方法。
【発明の詳細な説明】
【技術分野】
【０００１】
本発明は、操舵操作の支援となる情報を、操舵輪を介して運転者に提供する、車両の操舵支援装置及び操舵支援方法に関する。
【背景技術】
【０００２】
従来から、自車両に最適な走行経路を走行させることを目的として、運転者に、操舵輪（ステアリングホイール）を介して、操舵操作の支援となる情報を提供する操舵支援装置がある。このような操舵支援装置としては、例えば、特許文献１に記載されているものがある。
特許文献１に記載されている操舵支援装置は、現在及び将来的に予測される障害物へ接触する可能性を、障害物と自車両との間の相対運動に応じて設定することにより、障害物の回避に最適な走行経路を自車両が走行するための技術である。ここで、障害物の回避に最適な走行経路を自車両が走行するためには、操舵輪にトルクを出力する操舵制御を行う。
【先行技術文献】
【特許文献】
【０００３】
【特許文献１】特開２００８−３０７９５１号公報
【発明の概要】
【発明が解決しようとする課題】
【０００４】
しかしながら、特許文献１に記載の操舵支援装置では、例えば、狭路における走行時等、頻繁な操舵操作を行う可能性がある状況下において、操舵輪に出力する操舵支援トルクが急激に変化する可能性や断続的に変化する可能性がある。
本発明は、上記のような問題点に着目してなされたもので、操舵支援トルクの急激な変化や断続的な変化を抑制することが可能な、車両の操舵支援装置及び操舵支援方法を提供することを課題とする。
【課題を解決するための手段】
【０００５】
上記課題を解決するために、本発明の一態様は、自車両を中心とする予め設定した所定半径の範囲内で、自車両が走行する走行路上に存在する障害物を検出する。さらに、所定半径の範囲内で検出した障害物に対し、障害物の側方で自車両が通過可能であり且つ幅が最小の部分である最狭部のうち、自車両の車幅方向の中心位置を、目標通過位置として検出する。これに加え、検出した目標通過位置を用いて算出した誘導距離を用いて、複数箇所の誘導点を算出し、算出した複数箇所の誘導点の連続した集合により形成した線を、誘導経路として生成する。さらに、誘導経路を自車両が走行するために操舵輪の目標とする回転角度である目標操舵角を算出し、目標操舵角と操舵輪の現在の回転角度との差分である操舵角偏差を算出する。そして、操舵角偏差を縮小させるための操舵支援トルクを算出し、この算出した操舵支援トルクを操舵輪へ出力する。
ここで、上記の誘導経路は、自車両の走行路において自車両が走行すべき経路であり、誘導姿勢角、誘導横位置、自車両の現在の姿勢角、横位置及びヨーレートに基づいて生成する。また、誘導姿勢角は、自車両が走行する走行路において自車両が通過する目標位置である目標通過位置へ到達するまでに、自車両が目標とする姿勢角であり、誘導横位置は、目標通過位置へ到達するまでに、自車両が目標とする横位置である。
【発明の効果】
【０００６】
本発明によれば、操舵角偏差を縮小させるための操舵支援トルクを、現在位置から目標通過位置へ到達するまでに、自車両が目標とする誘導姿勢角及び誘導横位置に加え、現在の姿勢角、現在の横位置及び現在のヨーレートに基づいて算出する。
このため、自車両が現在位置から目標通過位置へ到達するまで、操舵支援トルクを連続的に変化させることが可能となり、曲率の急激な変化や断続的な変化を抑制して生成した誘導経路を、自車両に走行させることが可能となる。
【図面の簡単な説明】
【０００７】
【図１】本発明の第一実施形態の操舵支援装置の構成を示すブロック図である。
【図２】走行路における自車両と障害物との位置関係を示す図である。
【図３】予め設定した所定半径と自車両の車速との関係を示す図である。
【図４】本発明の第一実施形態の操舵支援装置が行う処理を示すフローチャートである。
【図５】走行路における自車両と障害物との位置関係を示す図である。
【発明を実施するための形態】
【０００８】
以下、本発明の実施形態について図面を参照しつつ説明する。
（第一実施形態）
以下、本発明の第一実施形態について、図面を参照しつつ説明する。
（構成）
図１は、本実施形態の操舵支援装置１の構成を示すブロック図である。
図１中に示すように、本実施形態の操舵支援装置１は、走行路検出部２と、障害物検出部４と、目標通過位置検出部６と、自車姿勢角検出部８と、自車位置検出部１０と、道路曲率検出部１２と、ヨーレート検出部１４を備える。これに加え、本実施形態の操舵支援装置１は、誘導状態算出部１６と、誘導経路生成部１８と、操舵角センサ２０と、目標操舵角算出部２２と、操舵角偏差算出部２４を備える。さらに、本実施形態の操舵支援装置１は、操舵支援トルク算出部２６と、操舵角速度センサ２８と、操舵支援トルク減衰回路３０と、操舵支援トルク出力部３２を備える。
【０００９】
走行路検出部２は、例えば、ＣＣＤカメラ等を有して形成し、自車両の周囲（例えば、自車両の進行方向である車両前後方向前方）の環境を画像として取得する。そして、取得した画像に対するエッジ検出等を行うことにより、自車両が走行する走行路を検出する。走行路を検出した走行路検出部２は、検出した走行路を含む情報信号を、目標通過位置検出部６へ出力する。
ここで、走行路検出部２がエッジ検出等を行う対象とは、具体的に、走行車線の境界を示す路上の白線（車線区分線）や、走行路の側壁、ガードレールである。
【００１０】
障害物検出部４は、例えば、ＣＣＤカメラ等を有して形成し、自車両の周囲（例えば、自車両の進行方向である車両前後方向前方）の環境を画像として取得する。そして、取得した画像に対するエッジ検出等を行い、さらに、オブジェクトの認識を行うことにより、走行路上に存在する障害物を検出する。障害物を検出した走行路検出部２は、検出した障害物を含む情報信号を、目標通過位置検出部６へ出力する。
【００１１】
ここで、障害物検出部４がオブジェクトの認識を行う対象とは、具体的に、走行路の側壁、ガードレール、走行路上に存在する障害物や他車両、歩行者等である。そして、これらのオブジェクトを、走行路上に存在する障害物として検出する。
目標通過位置検出部６は、走行路検出部２及び障害物検出部４が出力した情報信号に基づき、走行路検出部２が検出した走行路において自車両が通過する目標位置である目標通過位置を検出する。そして、検出した目標通過位置を含む情報信号を、誘導状態算出部１６及び誘導経路生成部１８へ出力する。
【００１２】
本実施形態では、一例として、目標通過位置検出部６が、図２中に示すように、目標通過位置として、自車両Ｃが通過可能であり且つ幅が最小の部分である最狭部Ｎのうち、幅方向の中心位置Ｐを検出する場合を説明する。
なお、図２は、走行路における自車両Ｃと障害物Ｂとの位置関係を示す図である。また、図２中では、障害物Ｂとして、路上に存在する二台の他車両（小型車両Ｂ１、大型車両Ｂ２）と、走行路の側壁（車幅方向右側の側壁Ｂ３、車幅方向左側の側壁Ｂ４）を示す。さらに、図２中では、当初の位置（例えば、目標通過位置の検出を開始する位置）における自車両Ｃを、符号「Ｃａ」で示し、当初の位置から移動した位置における自車両Ｃを、符号「Ｃｂ」で示す。
【００１３】
また、本実施形態では、一例として、目標通過位置検出部６が、図２中に示すように、自車両Ｃを中心とする予め設定した所定半径Ｄ［ｍ］の範囲内で、最狭部Ｎのうち、幅方向の中心位置Ｐ（目標通過位置）を検出する場合を説明する。
なお、図２中では、当初の位置で自車両Ｃａを中心とする所定半径Ｄの範囲内で検出した最狭部Ｎを、符号「Ｎ１」で示し、自車両Ｃａを中心とする所定半径Ｄの範囲内で検出した中心位置Ｐを、符号「Ｐ１」で示す。また、図２中では、当初の位置から移動した位置で自車両Ｃｂを中心とする所定半径Ｄの範囲内で検出した最狭部Ｎを、符号「Ｎ２」で示し、自車両Ｃｂを中心とする所定半径Ｄの範囲内で検出した中心位置Ｐを、符号「Ｐ２」で示す。さらに、図２中では、自車両Ｃａを中心とする所定半径Ｄの領域を示す境界線を、符号「ＤＬａ」で示し、自車両Ｃｂを中心とする所定半径Ｄの領域を示す境界線を、符号「ＤＬｂ」で示す。
【００１４】
ここで、所定半径Ｄは、例えば、図３中に示すように、自車両Ｃの車速Ｖに応じて設定する。なお、図３は、予め設定した所定半径Ｄと自車両Ｃの車速Ｖとの関係を示す図である。
具体的には、図３中に示すように、車速がＶ１（例えば、１０［ｋｍ／ｈ］）以下の領域では、所定半径ＤをＤ１（例えば、３［ｍ］）に設定する。そして、車速がＶ１を超える領域（例えば、１０［ｋｍ／ｈ］を超える速度域）では、車速の増加に応じて、所定半径Ｄを増加（例えば、３［ｍ］を超える距離で増加）させる。
【００１５】
また、目標通過位置検出部６は、予め設定した第一所定時間間隔で、目標通過位置（中心位置Ｐ）を検出する。ここで、上記の第一所定時間は、例えば、５０［ｍｓｅｃ］や１００［ｍｓｅｃ］として、予め設定する。なお、本実施形態では、一例として、第一所定時間間隔を、１００［ｍｓｅｃ］と設定した場合を説明する。
自車姿勢角検出部８は、例えば、Ｇセンサ（加速度センサ）を用いて形成し、自車両の現在の姿勢角を検出する。そして、自車姿勢角検出部８は、検出した現在の姿勢角を含む情報信号を、誘導状態算出部１６及び誘導経路生成部１８へ出力する。
【００１６】
自車位置検出部１０は、例えば、ＧＰＳ（Ｇｌｏｂａｌ  Ｐｏｓｉｔｉｏｎｉｎｇ  Ｓｙｓｔｅｍ）を用いて形成し、自車両の現在位置を検出する。そして、自車姿勢角検出部８は、検出した現在位置を含む情報信号を、誘導状態算出部１６及び誘導経路生成部１８へ出力する。なお、自車両の現在位置とは、自車両が走行している走行路における、横位置（道幅方向の位置）である。
【００１７】
道路曲率検出部１２は、例えば、カーナビゲーションシステム（Ａｕｔｏｍｏｔｉｖｅ  ｎａｖｉｇａｔｉｏｎ  ｓｙｓｔｅｍ）を用いて形成し、自車両が走行する走行路の曲率を検出する。そして、自車姿勢角検出部８は、検出した曲率を含む情報信号を、誘導状態算出部１６及び誘導経路生成部１８へ出力する。
ヨーレート検出部１４は、例えば、ジャイロスコープ（ｇｙｒｏｓｃｏｐｅ）等、ヨーレート（Ｙａｗ  Ｒａｔｅ）を検出可能なセンサを用いて形成し、自車両の現在のヨーレートを検出する。そして、ヨーレート検出部１４は、検出した現在のヨーレートを含む情報信号を、誘導経路生成部１８へ出力する。
【００１８】
誘導状態算出部１６は、目標通過位置検出部６、自車姿勢角検出部８、自車位置検出部１０及び道路曲率検出部１２が出力した情報信号に基づき、誘導姿勢角と誘導横位置を算出する。そして、誘導状態算出部１６は、算出した誘導姿勢角及び誘導横位置を含む情報信号を、誘導経路生成部１８へ出力する。
ここで、誘導姿勢角は、目標通過位置検出部６が検出した目標通過位置へ到達するまでに自車両Ｃが目標とする姿勢角である。また、誘導横位置は、目標通過位置検出部６が検出した目標通過位置へ到達するまでに自車両Ｃが目標とする横位置である。
【００１９】
また、誘導姿勢角の算出は、例えば、自車両Ｃの進行方向（前後方向）が走行路の延在方向（長さ方向）と平行となるように行う。
また、誘導横位置の算出は、例えば、誘導横位置の算出時における自車両Ｃの横位置と目標通過位置における自車両Ｃの横位置との偏差が少なくなるように行う。
【００２０】
誘導経路生成部１８は、目標通過位置検出部６、自車姿勢角検出部８、自車位置検出部１０、道路曲率検出部１２、ヨーレート検出部１４及び誘導状態算出部１６が出力した情報信号に基づき、誘導経路を生成する。そして、誘導経路生成部１８は、生成した誘導経路を含む情報信号を、目標操舵角算出部２２へ出力する。
ここで、誘導経路は、走行路検出部２が検出した走行路において、自車両Ｃが走行すべき経路である。
誘導経路の生成は、以下の式（１）を用いて算出する経路曲率ｋ（ｓ）と、以下の式（２）を用いて算出する姿勢角φ（ｓ）と、以下の式（３）を用いて算出する横位置ｘ（ｓ）に基づいて行う。
【００２１】
【数１】
0005799688.tif 000002
【００２２】
【数２】
0005799688.tif 000003
【００２３】
【数３】
0005799688.tif 000004
【００２４】
なお、上記の式（１）〜（３）中において、ｋ０：現在の経路曲率、φ０：現在の姿勢角、ｘ０：現在の横位置である。
また、上記の式（１）〜（３）中のλ（λ１、λ２、λ３）は、経路係数（誘導経路の生成に用いる係数）であり、以下の式（４）で算出する。
ここで、式（１）〜（３）中のλは、誘導位置における経路曲率ｋ（ｙ）＝０、誘導位置における姿勢角φ（ｙ）＝０、誘導位置における横位置ｘ（ｙ）＝ζとして算出する。
【００２５】
【数４】
0005799688.tif 000005
【００２６】
そして、上記の式（４）を用いて算出した経路係数λ（λ１、λ２、λ３）を、上記の式（１）〜（３）へ代入し、さらに、以下の式（５）で算出する誘導距離ｓを上記の式（１）〜（３）へ代入して、誘導経路を生成するための誘導点を算出する。
ｓ＝Ｔ×Ｖ        …（５）
ここで、上記の式（５）中では、Ｔ：誘導距離の算出時間、Ｖ：自車両Ｃの車速である。
【００２７】
なお、本実施形態では、一例として、誘導距離の算出時間Ｔを、０．３［秒］とする場合を説明する。
そして、誘導経路生成部１８は、上述した式（１）〜（５）を用いて、上記の誘導点を複数箇所算出し、これらの算出した誘導点の連続した集合により形成した線を、誘導経路として生成する。
操舵角センサ２０は、例えば、操舵輪を回転可能に支持するステアリングコラムに設ける。また、操舵角センサ２０は、自車両Ｃの運転者による、操舵輪の現在の回転角度（操舵操作量）である現在操舵角を検出する。そして、操舵角センサ２０は、検出した操舵輪の現在操舵角を含む情報信号を、目標操舵角算出部２２及び操舵角偏差算出部２４へ出力する。なお、以下の説明では、現在操舵角を、「現在操舵角θ」と記載する場合がある。
【００２８】
ここで、近年の車両は、操舵輪の操舵角を検出可能なセンサを、標準的に備えている場合が多い。このため、本実施形態では、操舵角センサ２０として、自車両Ｃに既存のセンサである、操舵輪の操舵角を検出可能なセンサを用いる場合について説明する。
目標操舵角算出部２２は、誘導経路生成部１８及び操舵角センサ２０が出力した情報信号に基づき、目標操舵角を算出する。そして、目標操舵角算出部２２は、算出した目標操舵角を含む情報信号を、操舵角偏差算出部２４へ出力する。なお、以下の説明では、目標操舵角を、「目標操舵角θ*」と記載する場合がある。
【００２９】
ここで、目標操舵角は、誘導経路生成部１８が生成した誘導経路を自車両Ｃが走行するために操舵輪（ステアリングホイール）の目標とする回転角度である。
目標操舵角θ*を算出する際には、例えば、走行路上における自車両Ｃの現在位置と、現在位置における操舵輪の回転角度から、上述した誘導点に到達するために必要な操舵角を算出する。そして、この算出した操舵角を、目標操舵角θ*とする。
【００３０】
ここで、本実施形態では、一例として、予め、目標操舵角算出部２２に車両運動モデルを記憶させておき、この車両運動モデルを、目標操舵角θ*の算出に用いる場合を説明する。これにより、本実施形態の操舵支援装置１では、車両運動モデルを目標操舵角θ*の算出に用いない場合と比較して、より正確な目標操舵角θ*の算出が可能となる。
なお、車両運動モデルとは、例えば、自車両Ｃの走行時における、操舵角と速度（車速）に応じて生じる車両の運動(ヨーレート等)を示すモデルであり、車両に個別のパラメータである。
【００３１】
操舵角偏差算出部２４は、目標操舵角算出部２２及び操舵角センサ２０が出力した情報信号に基づき、操舵角偏差を算出する。そして、操舵角偏差算出部２４は、算出した操舵角偏差を含む情報信号を、操舵支援トルク算出部２６及び操舵支援トルク減衰回路３０へ出力する。
ここで、操舵角偏差とは、目標操舵角算出部２２が算出した目標操舵角θ*と操舵角センサ２０が検出した現在操舵角θとの差分である。なお、以下の説明では、操舵角偏差を、「操舵角偏差δθ」と記載する場合がある。
【００３２】
操舵角偏差δθは、現在操舵角θから目標操舵角θ*を減算して算出する。したがって、操舵角偏差δθは、以下の式（６）により算出する。
δθ＝θ−θ*  …  （６）
操舵支援トルク算出部２６は、操舵角偏差算出部２４が出力した情報信号に基づき、トルク指令信号を算出する。そして、操舵支援トルク算出部２６は、算出したトルク指令信号を含む情報信号を、操舵支援トルク減衰回路３０へ出力する。
【００３３】
ここで、トルク指令信号とは、操舵角偏差算出部２４が算出した操舵角偏差δθを縮小させるための操舵支援トルクの指令値である。なお、以下の説明では、トルク指令信号を、「トルク指令値Ｔｏ」と記載する場合がある。
本実施形態では、一例として、トルク指令値Ｔｏを、以下に示す式（７）を用いて算出する場合について説明する。
Ｔｏ＝Ｚ×δθ＝Ｚ×（θ−θ＊）  …  （７）
【００３４】
なお、上記の式（７）中において、「Ｚ」は、目標操舵角算出部２２に記憶させた目標操舵角θ*への収束の速さに対応する係数である。この係数は、固定の定数、または、車速等に応じた変数として設定する。また、上記の式（７）中に示されているように、トルク指令値Ｔｏは、操舵角偏差δθに比例する値である。
【００３５】
また、操舵支援トルク算出部２６は、予め設定した第二所定時間間隔で、トルク指令値Ｔｏを算出する。ここで、上記の第二所定時間は、例えば、５０［ｍｓｅｃ］や１００［ｍｓｅｃ］として、予め設定する。なお、本実施形態では、一例として、第二所定時間間隔を、１００［ｍｓｅｃ］と設定した場合を説明する。したがって、本実施形態では、第一所定時間間隔と第二所定時間間隔を、同じ値に設定する。
【００３６】
操舵角速度センサ２８は、操舵角センサ２０と同様、例えば、操舵輪を回転可能に支持するステアリングコラムに設ける。また、操舵角速度センサ２８は、自車両Ｃの運転者による、操舵輪の現在の操舵時における回転角速度である操舵角速度を検出する。そして、この検出した操舵角速度を含む情報信号を、操舵支援トルク減衰回路３０へ出力する。なお、以下の説明では、操舵角速度を、「操舵角速度θ’」と記載する場合がある。
【００３７】
ここで、近年の車両は、操舵輪の操舵角速度を検出可能なセンサを、標準的に備えている場合が多い。このため、本実施形態では、操舵角速度センサ２８として、自車両Ｃに既存のセンサである、操舵輪の操舵角速度を検出可能なセンサを用いた場合について説明する。
【００３８】
操舵支援トルク減衰回路３０は、操舵角偏差算出部２４、操舵角速度センサ２８及び操舵支援トルク算出部２６が出力した情報信号に基づき、操舵支援トルク算出部２６が算出したトルク指令値Ｔｏを減衰させる減衰指令信号を算出する。そして、操舵支援トルク減衰回路３０は、算出した減衰指令信号によりトルク指令値Ｔｏを減衰させたトルク減衰指令値Ｔを含む情報信号を、操舵支援トルク出力部３２へ出力する。
【００３９】
ここで、操舵支援トルク減衰回路３０は、一例として、トルク減衰指令値Ｔを、以下に示す式（８）を用いて算出する場合について説明する。
Ｔ＝（θ−θ＊）×θ’＋Ｔｏ  …  （８）
したがって、本実施形態の操舵支援トルク減衰回路３０は、操舵角速度θ’に応じて、トルク指令値Ｔｏ（トルク指令信号）の減衰度合いが変化するように、減衰指令信号Ｔを算出する。
【００４０】
トルク減衰指令値Ｔを算出した操舵支援トルク減衰回路３０は、この算出したトルク減衰指令値Ｔを含む指令信号を、操舵支援トルク出力部３２へ出力する。
操舵支援トルク出力部３２は、公知の電動パワーステアリング（Ｅｌｅｃｔｒｉｃ  Ｐｏｗｅｒ  Ｓｔｅｅｒｉｎｇ）であり、操舵輪へ操舵支援トルクを出力可能な電動モータを有する。
【００４１】
また、操舵支援トルク出力部３２は、操舵支援トルク減衰回路３０が出力した指令信号に基づき、電動モータを制御する。これにより、操舵支援トルク出力部３２は、操舵支援トルク減衰回路３０が算出したトルク減衰指令値Ｔに応じた操舵支援トルクを、操舵輪へ出力する。
なお、操舵支援トルク出力部３２が行なう電動モータの制御は、一般的に、電動モータへ供給する電流を制御して行う。したがって、本実施形態においても、電動モータへ供給する電流を制御して電動モータの制御を行い、トルク減衰指令値Ｔに相当する操舵支援トルクを、操舵輪へ出力する。
【００４２】
（動作）
次に、図１から図３を参照しつつ、図４及び図５を用いて、本実施形態の操舵支援装置１が行なう動作の一例について説明する。
図４は、本実施形態の操舵支援装置１が行う処理を示すフローチャートである。
図４中に示すフローチャートは、自車両Ｃが走行しており、自車両Ｃの運転者によって、操舵支援装置１を作動させるスイッチが操作（ＯＮ）された状態からスタートする（図４中に示す「ＳＴＡＲＴ」）。
【００４３】
操舵支援装置１を作動させると、自車位置検出部１０が、自車両Ｃの現在位置を検出（ステップＳ１００に示す「車両横位置の検出」）する。そして、自車両Ｃの現在位置を検出した自車位置検出部１０は、算出した現在位置を含む情報信号を、誘導状態算出部１６及び誘導経路生成部１８へ出力する。ステップＳ１００において、自車両Ｃの現在位置を検出すると、操舵支援装置１が行う処理は、ステップＳ１０２へ移行する。
ステップＳ１０２では、自車姿勢角検出部８により、自車両Ｃの現在の姿勢角を検出（ステップＳ１０２に示す「車両姿勢角の検出」）する。これに加え、ステップＳ１０２では、ヨーレート検出部１４により、自車両Ｃの現在のヨーレートを検出する。
【００４４】
そして、自車両Ｃの現在の姿勢角を検出した自車姿勢角検出部８は、検出した現在の姿勢角を含む情報信号を、誘導状態算出部１６及び誘導経路生成部１８へ出力する。これに加え、自車両Ｃの現在のヨーレートを検出したヨーレート検出部１４は、検出した現在のヨーレートを含む情報信号を、誘導経路生成部１８へ出力する。ステップＳ１０２において、現在の姿勢角及びヨーレートを検出すると、操舵支援装置１が行う処理は、ステップＳ１０４の処理へ移行する。
【００４５】
ステップＳ１０４では、道路曲率検出部１２により、自車両Ｃが走行する走行路の曲率を検出（ステップＳ１０４に示す「経路曲率の検出」）する。そして、走行路の曲率を検出した道路曲率検出部１２は、検出した曲率を含む情報信号を、誘導状態算出部１６及び誘導経路生成部１８へ出力する。ステップＳ１０４において、走行路の曲率を検出すると、操舵支援装置１が行う処理は、ステップＳ１０６へ移行する。
【００４６】
ステップＳ１０６では、走行路検出部２により、自車両Ｃが走行する走行路を検出（ステップＳ１０６に示す「走行路検出」）する。そして、走行路を検出した走行路検出部２は、検出した走行路を含む情報信号を、目標通過位置検出部６へ出力する。ステップＳ１０６において、走行路を検出すると、操舵支援装置１が行う処理は、ステップＳ１０８へ移行する。
【００４７】
ステップＳ１０８では、障害物検出部４により、走行路上に存在する障害物を検出（ステップＳ１０８に示す「障害物検出」）する。そして、障害物を検出した障害物検出部４は、検出した障害物を含む情報信号を、目標通過位置検出部６へ出力する。ステップＳ１０８において、障害物を検出すると、操舵支援装置１が行う処理は、ステップＳ１１０へ移行する。
【００４８】
ステップＳ１１０では、目標通過位置検出部６により、最狭部Ｎのうち幅方向の中心位置Ｐを検出して、目標通過位置を検出（ステップＳ１１０に示す「目標通過位置の検出」）する。そして、目標通過位置を検出した目標通過位置検出部６は、検出した目標通過位置を含む情報信号を、誘導状態算出部１６及び誘導経路生成部１８へ出力する。ステップＳ１１０において、目標通過位置を検出すると、操舵支援装置１が行う処理は、ステップＳ１１２へ移行する。
【００４９】
ステップＳ１１２では、誘導状態算出部１６により、誘導姿勢角と誘導横位置を算出（ステップＳ１１２に示す「誘導姿勢角及び誘導横位置の算出」）する。そして、誘導姿勢角及び誘導横位置を算出した誘導状態算出部１６は、誘導姿勢角及び誘導横位置を含む情報信号を、誘導経路生成部１８へ出力する。ステップＳ１１２において、誘導姿勢角及び誘導横位置を算出すると、操舵支援装置１が行う処理は、ステップＳ１１４へ移行する。
【００５０】
ステップＳ１１４では、誘導経路生成部１８により、誘導位置における経路曲率ｋを算出（ステップＳ１１４に示す「誘導位置における経路曲率を算出」）する。ステップＳ１１４において、誘導位置における経路曲率ｋを検出すると、操舵支援装置１が行う処理は、ステップＳ１１６へ移行する。
ステップＳ１１６では、誘導経路生成部１８により、経路係数λ（λ１、λ２、λ３）を算出（ステップＳ１１６に示す「経路係数（λ１、λ２、λ３）の算出」）する。ステップＳ１１６において、経路係数λを算出すると、操舵支援装置１が行う処理は、ステップＳ１１８へ移行する。
【００５１】
ステップＳ１１８では、誘導経路生成部１８により、誘導経路を生成するための誘導点を複数箇所算出（ステップＳ１１８に示す「誘導点の算出」）する。ステップＳ１１８において、複数箇所の誘導点を算出すると、操舵支援装置１が行う処理は、ステップＳ１２０へ移行する。
ステップＳ１２０では、誘導経路生成部１８により、複数箇所の誘導点の連続した集合により形成した線を、誘導経路として生成（ステップＳ１２０に示す「誘導経路の生成」）する。ステップＳ１２０において、誘導経路を生成すると、操舵支援装置１が行う処理は、ステップＳ１２２へ移行する。
【００５２】
ステップＳ１２２では、操舵支援トルク出力部３２により、電動モータの制御（ステップＳ１２２に示す「ＥＰＳを制御」）を行い、トルク減衰指令値Ｔに相当する操舵支援トルクを操舵輪へ出力する。
トルク減衰指令値Ｔに相当する操舵支援トルクを操舵輪へ出力すると、自車両Ｃが誘導経路を走行するための操舵支援トルクが出力された操舵輪を、運転者が操舵することとなる。
【００５３】
したがって、トルク減衰指令値Ｔに相当する操舵支援トルクを操舵輪へ出力すると、例えば、図５中に示すように、自車両Ｃの走行経路を、誘導経路Ｒとするための操舵支援トルクが出力された操舵輪を、運転者が操舵することとなる。なお、図５は、走行路における自車両Ｃと障害物Ｂとの位置関係を示す図である。また、図５中では、障害物Ｂ（小型車両Ｂ１、大型車両Ｂ２、車幅方向右側の側壁Ｂ３、車幅方向左側の側壁Ｂ４）を、図２中と同様に示す。さらに、図５中では、最狭部Ｎ、中心位置Ｐ、自車両Ｃを中心とする所定半径Ｄ、自車両Ｃを中心とする所定半径Ｄの領域を示す境界線ＤＬを、図２中と同様に示す。
【００５４】
ここで、操舵支援トルク算出部２６が算出したトルク指令信号は、操舵角偏差算出部２４が算出した操舵角偏差δθを縮小させるための操舵支援トルクの指令値である。これに加え、操舵角偏差δθを、現在位置から目標通過位置へ到達するまでに、自車両Ｃが目標とする誘導姿勢角及び誘導横位置に加え、現在の姿勢角、現在の横位置及び現在のヨーレートに基づいて算出する。
【００５５】
したがって、走行する自車両Ｃが現在位置から目標通過位置へ到達するまでの間、操舵支援トルクを連続的に変化させることが可能となる。これにより、曲率の急激な変化や断続的な変化を抑制して生成した誘導経路Ｒを、自車両Ｃに走行させることが可能となる。
ステップＳ１２２において電動モータを制御し、トルク減衰指令値Ｔに相当する操舵支援トルクを操舵輪へ出力すると、操舵支援装置１が行う処理は、ステップＳ１００の処理に復帰（図４中に示す「ＲＥＴＵＲＮ」）する。
【００５６】
なお、上述したように、本実施形態の操舵支援装置１の動作で実施する操舵支援方法は、目標通過位置を検出する目標通過位置検出ステップと、誘導姿勢角を算出する誘導姿勢角算出ステップと、誘導横位置を算出する誘導横位置算出ステップを有する。これに加え、上述した誘導姿勢角、誘導横位置、現在の姿勢角、現在の横位置及び現在のヨーレートに基づき、誘導経路Ｒを生成する誘導経路生成ステップを有する。さらに、目標操舵角を算出する目標操舵角算出ステップと、操舵角偏差を算出する操舵角偏差算出ステップと、操舵支援トルクを算出する操舵支援トルク算出ステップと、操舵支援トルクを操舵輪へ出力する操舵支援トルク出力ステップを有する。
【００５７】
以上により、誘導状態算出部１６は、誘導姿勢角算出部及び誘導横位置算出部に対応する。また、自車姿勢角検出部８は、現在姿勢角検出部に対応する。また、自車位置検出部１０は、現在横位置検出部に対応する。また、操舵角センサ２０は、現在操舵角検出部に対応する。
【００５８】
同様に、ステップＳ１１０は、目標通過位置検出ステップに対応する。また、ステップＳ１１２は、誘導姿勢角算出ステップ及び誘導横位置算出ステップに対応する。また、ステップＳ１１４からＳ１２０は、誘導経路生成ステップ、目標操舵角算出ステップ、操舵角偏差算出ステップ、操舵支援トルク算出ステップに対応する。また、ステップＳ１２２は、操舵支援トルク出力ステップに対応する。
【００５９】
（第一実施形態の効果）
（１）誘導経路生成部１８が、誘導姿勢角、誘導横位置、自車両Ｃの現在の姿勢角、横位置及びヨーレートに基づいて、自車両の走行路において自車両が走行すべき誘導経路を生成する。
このため、走行する自車両Ｃが現在位置から目標通過位置へ到達するまでの間、操舵支援トルクを連続的に変化させることが可能となる。
その結果、曲率の急激な変化や断続的な変化を抑制して生成した誘導経路Ｒを、自車両Ｃに走行させることが可能となる。
また、操舵角の変化が、障害物の形状に影響されることを抑制することが可能となるため、走行中の運転者が操舵角を保持したい場合であっても、操舵角の変化を抑制することが可能となる。
【００６０】
（２）目標通過位置検出部６が、目標通過位置として、自車両Ｃが通過可能であり且つ幅が最小の部分である最狭部Ｎの、幅方向の中心位置Ｐを検出する。
その結果、走行路上において自車両Ｃが障害物へ接触する可能性が高い位置における、自車両Ｃの横位置と姿勢角を、適正な状態に誘導することが可能となるため、自車両Ｃが障害物へ接触する可能性を低減することが可能となる。
【００６１】
また、走行路上において、最狭部Ｎを構成する障害物以外の物体を考慮して目標通過位置を検出する場合と比較して、目標通過位置の検出に要する演算処理のステップを減少させることが可能となる。また、最狭部Ｎを構成する障害物以外の物体を考慮して目標通過位置を検出する場合と比較して、目標通過位置の検出に要する演算処理の周期を短縮することが可能となる。
これにより、操舵輪に対する操舵支援トルクの出力が遅延することを、抑制することが可能となり、操舵制御のレスポンスを向上させることが可能となる。
【００６２】
（３）目標通過位置検出部６が、自車両Ｃを中心とする予め設定した所定半径Ｄの範囲内で、目標通過位置を検出する。
その結果、例えば、自車両Ｃの車速Ｖに応じた範囲等、運転者が意識しやすい範囲内で目標通過位置を検出することが可能となり、所定半径Ｄを設定しない場合と比較して、操舵支援トルクの急激な変化や断続的な変化を、さらに抑制することが可能となる。
【００６３】
（４）目標通過位置検出部６が、予め設定した第一所定時間間隔で目標通過位置を検出する。これに加え、操舵支援トルク算出部２６が、予め設定した第二所定時間間隔で操舵支援トルクを算出する。
その結果、実時間（Ｒｅａｌ  Ｔｉｍｅ）で目標通過位置を検出した上で、実時間で操舵支援トルクを算出するため、所定時間間隔で処理を行わない場合と比較して、操舵支援トルクの急激な変化や断続的な変化を、さらに抑制することが可能となる。
【００６４】
（５）誘導経路生成部１８が、誘導点を複数箇所算出し、これらの算出した誘導点の連続した集合により形成した線を、誘導経路として生成する。
その結果、誘導姿勢角、誘導横位置、自車両Ｃの現在の姿勢角、横位置及びヨーレートに基づいて、連続的な曲線状の誘導経路を生成することが可能となる。
【００６５】
（６）本実施形態の操舵支援方法では、誘導経路生成ステップにおいて、誘導姿勢角、誘導横位置、自車両Ｃの現在の姿勢角、横位置及びヨーレートに基づいて、自車両の走行路において自車両が走行すべき誘導経路を生成する。
このため、走行する自車両Ｃが現在位置から目標通過位置へ到達するまでの間、操舵支援トルクを連続的に変化させることが可能となる。
その結果、曲率の急激な変化や断続的な変化を抑制して生成した誘導経路Ｒを、自車両Ｃに走行させることが可能となる。これに加え、操舵角の変化が、障害物の形状に影響されることを抑制することが可能となるため、走行中の運転者が操舵角を保持したい場合であっても、操舵角の変化を抑制することが可能となる。
【００６６】
（変形例）
（１）本実施形態の操舵支援装置１では、目標通過位置検出部６が、目標通過位置として、自車両Ｃが通過可能であり且つ幅が最小の部分である最狭部Ｎの、幅方向の中心位置Ｐを検出したが、目標通過位置は、これに限定するものではない。すなわち、例えば、最狭部Ｎの幅が、自車両Ｃが通過可能な幅に対して大きな余裕がある場合等は、目標通過位置として、最狭部Ｎの、幅方向の中心位置Ｐよりも車幅方向へオフセットした位置を検出してもよい。
【００６７】
（２）本実施形態の操舵支援装置１では、目標通過位置検出部６が、予め設定した第一所定時間間隔で目標通過位置を検出する。これに加え、操舵支援トルク算出部２６が、予め設定した第二所定時間間隔で操舵支援トルクを算出する。しかしながら、目標通過位置検出部６の構成は、これに限定するものではなく、目標通過位置検出部６及び操舵支援トルク算出部２６のうち少なくとも一方が、自車両Ｃの走行中において、連続して処理を行ってもよい。
【００６８】
（３）本実施形態の操舵支援装置１では、目標通過位置検出部６が、自車両Ｃを中心とする予め設定した所定半径Ｄの範囲内で、目標通過位置を検出するが、目標通過位置検出部６の構成は、これに限定するものではない。すなわち、目標通過位置検出部６の構成を、所定半径Ｄを設定せずに目標通過位置を検出する構成としてもよい。
【００６９】
（４）本実施形態の操舵支援装置１では、操舵支援トルク減衰回路３０が、操舵角速度センサ２８が検出した操舵角速度θ’に応じて、トルク指令値Ｔｏの減衰度合いが変化するように、減衰指令信号を算出したが、これに限定するものではない。すなわち、トルク指令値Ｔｏを操舵支援トルクとして用いてもよい。この場合、操舵支援装置１の構成を、操舵角速度センサ２８及び操舵支援トルク減衰回路３０を備えていない構成としてもよい。
【００７０】
（５）本実施形態の操舵支援装置１では、走行路検出部２及び障害物検出部４を、自車両の周囲環境を画像として取得可能なＣＣＤカメラ等を有して形成したが、走行路検出部２及び障害物検出部４の構成は、これに限定するものではない。
すなわち、例えば、操舵支援装置１の構成を、自車両Ｃの車両前後方向の前面に配置して、自車両Ｃの車両前後方向前方に対してレーザーを照射するレーザーセンサを備えた構成とする。そして、レーザーセンサにより、レーザーの照射と、レーザーの照射後に走行経路上の障害物等により反射されたレーザーの受信を行い、レーザーを照射及び受信した時間により、走行路や障害物を検出可能な構成としてもよい。
【００７１】
（６）本実施形態の操舵支援装置１では、自車両Ｃの走行中において、運転者が操舵支援装置１を作動させるスイッチを操作することにより、操舵支援装置１を作動させたが、これに限定するものではない。すなわち、例えば、自車両Ｃの周囲環境を撮像した画像を参照して、自車両が走行する道路（走行路）が、操舵支援装置１を作動させることが好ましい道路であるか否かを判定し、運転者の操作に因らず、操舵支援装置１を作動させてもよい。この場合、自車両Ｃの周囲環境を撮像した画像は、例えば、走行路検出部２が有するＣＣＤカメラ等を用いて取得する。
【００７２】
（７）本実施形態の操舵支援装置１では、第一所定時間間隔と第二所定時間間隔を、同じ値（１００［ｍｓｅｃ］）に設定したが、これに限定するものではなく、第一所定時間間隔と第二所定時間間隔を、異なる値に設定してもよい。この場合、例えば、第一所定時間間隔を１００［ｍｓｅｃ］と設定し、第二所定時間間隔を５０［ｍｓｅｃ］と設定する。
【符号の説明】
【００７３】
１    操舵支援装置
２    走行路検出部
４    障害物検出部
６    目標通過位置検出部
８    自車姿勢角検出部
１０  自車位置検出部
１２  道路曲率検出部
１４  ヨーレート検出部
１６  誘導状態算出部
１８  誘導経路生成部
２０  操舵角センサ
２２  目標操舵角算出部
２４  操舵角偏差算出部
２６  操舵支援トルク算出部
２８  操舵角速度センサ
３０  操舵支援トルク減衰回路
３２  操舵支援トルク出力部
Ｃ    自車両
Ｎ    最狭部
Ｐ    最狭部Ｎのうち、幅方向の中心位置
Ｂ    障害物
Ｄ    所定半径
【図１】
0005799688.tif 000006
【図２】
0005799688.tif 000007
【図３】
0005799688.tif 000008
【図４】
0005799688.tif 000009
【図５】
0005799688.tif 000010